(57)【要約】【課題】カバー外れを防止できる一方で、コネクタカバーを容易に取り外せるレバー嵌合式コネクタを提供する。【解決手段】コネクタハウジング１３に軸支され、レバー１９を回転操作することで、相手コネクタとの嵌合と離脱を助勢するレバー１９と、コネクタハウジング１３から導出された電線を覆うコネクタカバー２１と、を備えたレバー嵌合式コネクタであって、コネクタカバー２１は、コネクタハウジング側面４３に突設される係止突起４５に枠状係止部４７が係止されて固定されると共に、枠状係止部４７から延出して先端に傾斜面５１が形成された突出片４９を備え、レバー１９は、レバー１９の仮係止位置で突出片４９に外側から当接するように突設された平板部５５と、平板部５５から外側に突出してレバー１９がコネクタ嵌合位置近傍に回転されたときにコネクタハウジング１３の当接部６１に当接し、平板部５５がコネクタハウジング側面４３と傾斜面５１との間に配置されるよう変位させる起立壁５７と、を備える。【選択図】図５
2013045571.tif 000002
【特許請求の範囲】
【請求項１】
相手コネクタハウジングに嵌合されるコネクタハウジングと、前記コネクタハウジングに回転可能に軸支され、係合部を前記相手コネクタハウジングに設けられる被係合部に係合させて回転操作することで、前記相手コネクタハウジングとの嵌合と離脱を助勢するレバーと、前記コネクタハウジングから導出された電線を覆うコネクタカバーと、を備えたレバー嵌合式コネクタであって、
前記コネクタカバーは、コネクタハウジング側面に突設される係止突起に枠状係止部が係止されて前記コネクタハウジングに固定されると共に、前記枠状係止部から延出して先端に前記コネクタハウジング側面に対面する傾斜面が形成された突出片を備え、
前記レバーは、該レバーの仮係止位置で前記突出片に外側から当接するように突設された平板部と、前記平板部から外側に突出して前記レバーがコネクタ嵌合位置近傍に回転されたときに前記コネクタハウジングの当接部に当接し、前記平板部が前記コネクタハウジング側面と前記傾斜面との間に配置されるよう変位させる起立壁と、を備えることを特徴とするレバー嵌合式コネクタ。
【請求項２】
請求項１記載のレバー嵌合式コネクタであって、
前記平板部の突出先端に、前記傾斜面に沿う平板側傾斜面が形成されていることを特徴とするレバー嵌合式コネクタ。
【発明の詳細な説明】
【技術分野】
【０００１】
本発明は、レバー嵌合式コネクタに関する。
【背景技術】
【０００２】
例えば、自動車のエンジンルームの配線に用いられるコネクタには、洗車用の高圧洗浄水が掛かったり、走行時に飛石などが衝突したりする場合に備え、コネクタカバーが取り付けられるものがある（例えば、特許文献１参照）。
図８に示すように、コネクタカバー５０１は、前方（コネクタ５０３の後端面と対向する方向）に開口する箱状の本体部５０５を備え、この本体部５０５にコネクタハウジング５０７の後端側を入り込ませて取り付けられる。本体部５０５の両側面には係止部となる係止溝５０９が形成され、コネクタハウジング５０７の主体部５１１の両側面に設けられた同じく係止部となる係止突起５１３が解離可能に係止してコネクタカバー全体の固定がなされる（図８（ｂ）参照）。
【０００３】
本体部５０５の上面部には一対の片５１７が前方側に突出するように形成されており、コネクタハウジング５０７の後端側の上面両側縁に形成された溝部５１９にスライドさせつつ挿入可能としている。これによって、コネクタカバー５０１をコネクタ５０３に円滑に取り付けることができる。コネクタカバー５０１がコネクタ５０３に取り付けられると、不図示の電線は本体部内でＵ字状に屈曲して前側に折り返され、本体部５０５の前端縁の下方に設けられた不図示の電線引出口から本体の外に引き出される。本体部５０５の下面における電線引出口よりも後方には、電線クリップ５２１が垂下形成され、電線引出口より引き出された電線を後方に誘導するようになっている。
【０００４】
また、コネクタの完全嵌合時において、電線カバー（コネクタカバー）が不用意に離脱することを防止するようにした電線カバー離脱防止機能付きレバー嵌合式コネクタも提案されている（例えば、特許文献２参照）。
【先行技術文献】
【特許文献】
【０００５】
【特許文献１】特開平１０−３２０３７号公報
【特許文献２】特開２０１１−８２０６５号公報
【発明の概要】
【発明が解決しようとする課題】
【０００６】
しかしながら、上記した従来のコネクタカバー５０１の場合は、コネクタハウジング５０７またはコネクタカバー５０１に互いの係止が外れるような荷重が加わった場合、係止部の引っ掛かり代が減少する。このため、コネクタカバー５０１の保持力が確保できなくなるという問題があった。特に係止部に対して係止を解除する方向の荷重が加わった場合に、保持力の低下は顕著であった。これに対し、コネクタカバー５０１の保持力向上のため、係止部の引っ掛かり代を増加させる対策をとると、コネクタカバー５０１の保持力は向上する一方で、解体時にコネクタカバー５０１が外れ難くなるという新たな問題が生じる。
【０００７】
また、引用文献２に開示された電線カバー離脱防止機能付きレバー嵌合式コネクタは、レバーの操作に起因するコネクタハウジングからの電線カバーの不用意な離脱を防止するものであり、電線カバーを離脱させる際には解除治具によって係止部を解除しなければならず、解体時の作業性がよくないという問題がある。
【０００８】
本発明は上記状況に鑑みてなされたもので、その目的は、コネクタ嵌合前は電線からの荷重によるカバー外れを防止でき、コネクタ嵌合後の離脱操作時はコネクタカバーを容易に取り外すことができるレバー嵌合式コネクタを提供することにある。
【課題を解決するための手段】
【０００９】
本発明に係る上記目的は、下記構成により達成される。
（１）  相手コネクタハウジングに嵌合されるコネクタハウジングと、前記コネクタハウジングに回転可能に軸支され、係合部を前記相手コネクタハウジングに設けられる被係合部に係合させて回転操作することで、前記相手コネクタハウジングとの嵌合と離脱を助勢するレバーと、前記コネクタハウジングから導出された電線を覆うコネクタカバーと、を備えたレバー嵌合式コネクタであって、前記コネクタカバーは、コネクタハウジング側面に突設される係止突起に枠状係止部が係止されて前記コネクタハウジングに固定されると共に、前記枠状係止部から延出して先端に前記コネクタハウジング側面に対面する傾斜面が形成された突出片を備え、前記レバーは、該レバーの仮係止位置で前記突出片に外側から当接するように突設された平板部と、前記平板部から外側に突出して前記レバーがコネクタ嵌合位置近傍に回転されたときに前記コネクタハウジングの当接部に当接し、前記平板部が前記コネクタハウジング側面と前記傾斜面との間に配置されるよう変位させる起立壁と、を備えることを特徴とするレバー嵌合式コネクタ。
【００１０】
上記（１）のレバー嵌合式コネクタによれば、コネクタ嵌合前、コネクタハウジングの係止突起に係止されたコネクタカバーの枠状係止部が、レバーの平板部によって突出片を介して外側から当接される。これにより、枠状係止部の外側への変位が規制され、枠状係止部が係止突起から解除され難くなる。つまり、保持力が向上する。
一方、コネクタ嵌合後、即ちコネクタ嵌合位置近傍からコネクタ嵌合位置に回転されたレバーは、平板部に設けられた起立壁がコネクタハウジングの当接部に当接し、平板部がコネクタハウジング側面と突出片の傾斜面との間に配置されている。そこで、レバーが離脱操作されると、レバーの平板部がコネクタハウジング側面と突出片との間に入り込み、突出片をコネクタハウジング側面から離れる方向に変位させる。突出片がコネクタハウジング側面から離れることで、突出片の基端側に設けられている枠状係止部が、コネクタハウジング側面に設けられた係止突起から解除される方向に変位するので、コネクタカバーを容易に取り外すことができる。
【００１１】
（２）  上記（１）のレバー嵌合式コネクタであって、前記平板部の突出先端に、前記傾斜面に沿う平板側傾斜面が形成されていることを特徴とするレバー嵌合式コネクタ。
【００１２】
上記（２）のレバー嵌合式コネクタによれば、コネクタ嵌合後、平板部の突出先端に形成された平板側傾斜面がコネクタハウジング側面と突出片の傾斜面との間に配置される。そこで、レバーが離脱操作された際、レバーの平板部はコネクタハウジング側面と突出片との間に入り込み易くなり、係止突起に対する枠状係止部の解除が確実となる。
【発明の効果】
【００１３】
本発明に係るレバー嵌合式コネクタによれば、コネクタ嵌合前は電線からの荷重によるカバー外れを防止でき、コネクタ嵌合後の離脱操作時はコネクタカバーを容易に取り外すことができる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係るレバー嵌合式コネクタの分解斜視図である。
【図２】（ａ）は図１に示したレバー嵌合式コネクタのコネクタ嵌合前の側面図、（ｂ）はそのＡ−Ａ矢視断面図、（ｃ）はその斜視図である。
【図３】（ａ）は図２（ｂ）のＢ部拡大図、（ｂ）は図２（ｃ）のＣ部拡大図である。
【図４】（ａ）は図１に示したレバー嵌合式コネクタのコネクタ嵌合後の側面図、（ｂ）はそのＤ−Ｄ矢視断面図、（ｃ）はその斜視図である。
【図５】（ａ）は図４（ｂ）のＥ部拡大図、（ｂ）は図４（ｃ）のＦ部拡大図である。
【図６】（ａ）は図１に示したレバー嵌合式コネクタのコネクタ解体時の側面図、（ｂ）はそのＧ−Ｇ矢視断面図、（ｃ）はその斜視図である。
【図７】（ａ）は図６（ｂ）のＨ部拡大図、（ｂ）は図６（ｃ）のＩ部拡大図である。
【図８】（ａ）は従来のコネクタカバーを備えたコネクタの斜視図、（ｂ）はその分解斜視図である。
【発明を実施するための形態】
【００１６】
以下、添付図面を参照しながら本発明の一実施形態に係るレバー嵌合式コネクタを詳細に説明する。
図１に示すように、本実施形態に係るレバー嵌合式コネクタ１１は、コネクタハウジング１３と、フロントホルダー１５と、パッキン１７と、レバー１９と、コネクタカバー２１と、に大別して構成される。このレバー嵌合式コネクタ１１は、相手コネクタ２３と嵌合される。
【００１７】
コネクタハウジング１３の嵌合方向前部には、嵌合開口部２５が形成される。嵌合開口部２５の内方には、インナーハウジング２７が嵌合相手方向に向かって突出する。インナーハウジング２７の内部には雌端子２９（図２参照）を収容する複数の端子収容室３１が形成される。従って、相手コネクタハウジング３３には雄端子３５が収容される。なお、本実施形態では、レバー嵌合式コネクタ１１が、雌端子２９を備える雄コネクタとなるが、雄端子３５を備える雌コネクタであってもよい。
【００１８】
フロントホルダー１５は、インナーハウジング２７に前方から嵌合することで、端子収容室３１の雌端子２９を本係止する。パッキン１７は、インナーハウジング２７の後部外周に装着される。インナーハウジング２７の外周に装着されたパッキン１７は、相手コネクタハウジング３３が嵌合することで、相手コネクタハウジング３３の内周面に密接する。
【００１９】
レバー嵌合式コネクタ１１は、係合部３７を有するレバー１９がコネクタハウジング１３に回転可能に軸支され、係合部３７を相手コネクタハウジング３３に設けられる被係合部３９に係合させてレバー１９を回転操作することで、相手コネクタハウジング３３との嵌合と離脱を助勢する。これにより、相手コネクタ２３との嵌合離脱力を低減させることができる。
【００２０】
コネクタハウジング１３には、嵌合開口部２５と反対側となる後部電線導出部４１に、コネクタカバー２１が装着される。図示しない電線が導出される後部電線導出部４１のコネクタハウジング側面４３には、係止突起４５が突設される。一方、コネクタカバー２１には、この係止突起４５に係止する枠状係止部４７が形成される。コネクタカバー２１は、この枠状係止部４７が係止突起４５に係止されることで、後部電線導出部４１から導出された電線を覆うようにコネクタハウジング１３に固定される。
【００２１】
図３に示すように、枠状係止部４７にはコネクタハウジング側面４３に沿って突出片４９が延出される。突出片４９の延出先端には、コネクタハウジング側面４３に対面する傾斜面５１が形成される。
【００２２】
レバー嵌合式コネクタ１１は、コネクタハウジング１３に取り付けられるレバー１９が、相手コネクタ２３とのコネクタ嵌合前の状態で図２（ａ）に示す傾斜した仮係止位置５３に保持される。図２（ｂ）に示すように、レバー１９は、コネクタハウジング１３の内方に挿入配置される。相手コネクタ２３は、更にそのレバー１９の内方に配置されることとなる。
【００２３】
レバー１９には、図３に示すように、平板部５５が突設される。この平板部５５は、レバー１９が仮係止位置５３のとき、コネクタカバー２１の突出片４９に外側から当接する。つまり、コネクタ嵌合前は、突出片４９がレバー１９の平板部５５に覆われる。これにより、係止突起４５と枠状係止部４７の互いの係合が外れる方向への荷重に対して、互いの掛かり代の減少を抑制し、大きいカバー保持力を確保できる。
【００２４】
この平板部５５には、外側に突出する起立壁５７が設けられている。起立壁５７は、レバー１９が図４に示すコネクタ嵌合位置５９の直前におけるコネクタ嵌合位置近傍に回転されたときに、コネクタハウジング１３の当接部６１に当接し、平板部５５をコネクタハウジング側面４３側へ付勢する。即ち、起立壁５７は、当接部６１に当接することで、図５に示すように、平板部５５がコネクタハウジング側面４３と傾斜面５１との間に配置されるよう変位させる。
【００２５】
本実施形態のレバー嵌合式コネクタ１１では、図５（ａ）の位置からレバー１９がコネクタハウジング１３を離脱させる方向に回転され、コネクタ嵌合位置近傍に達したときには、平板部５５の突出先端が突出片４９の傾斜面５１に接触するよう構成されている。即ち、上述したように、レバー１９がコネクタハウジング１３を嵌合させる方向に回転され、コネクタ嵌合位置近傍に達したときには、起立壁５７がコネクタハウジング１３の当接部６１に当接して平板部５５をコネクタハウジング側面４３側へ付勢するが、平板部５５の突出先端は突出片４９の外側に位置するように構成されており、平板部５５の突出先端は外方へ弾性変形させられた状態である。これにより、レバー１９がコネクタハウジング１３を離脱させる方向に回転され、コネクタ嵌合位置近傍に達したときには、平板部５５の突出先端を突出片４９の傾斜面５１に接触させることが可能になる。
【００２６】
本実施形態において、平板部５５の突出先端には平板側傾斜面６３が形成されている。平板側傾斜面６３は、対向する傾斜面５１に沿って形成されている。
【００２７】
次に、上記構成のレバー嵌合式コネクタ１１の作用を説明する。
レバー嵌合式コネクタ１１は、コネクタ嵌合前、図２、図３に示すように、コネクタハウジング１３の係止突起４５に係止したコネクタカバー２１の枠状係止部４７が、レバー１９の平板部５５によって（突出片４９を介して）外側から当接されている。これにより、枠状係止部４７の外側への変位が規制され、枠状係止部４７が係止突起４５から解除され難くなる。つまり、保持力が向上し、カバー外れを防止することができる。
【００２８】
一方、図４、図５に示すように、レバー１９が、コネクタハウジング１３を嵌合させる方向に回転され、コネクタ嵌合位置近傍に達すると、起立壁５７がコネクタハウジング１３の当接部６１に当接する。更に、レバー１９が同方向に回転されると、当接部６１から起立壁５７が反力を受け、その結果、平板部５５を内側へ撓ませる。そして、コネクタ嵌合後、レバー１９はコネクタ嵌合位置５９となり、平板部５５の突出先端がコネクタハウジング側面４３と突出片４９の傾斜面５１との間に配置される。そこで、コネクタ嵌合後には、図５（ｂ）に示すように、突出片４９が露出する。
【００２９】
図６及び図７に示すように、相手コネクタ２３と嵌合状態にあるレバー嵌合式コネクタ１１が、相手コネクタ２３と嵌合解除のために、レバー１９が離脱操作されてコネクタ嵌合位置近傍に回転されると、レバー１９の平板部５５の突出先端がコネクタハウジング側面４３と突出片４９との間に入り込む。これにより、突出片４９がコネクタハウジング側面４３から離れる方向に変位する。突出片４９がコネクタハウジング側面４３から離れることで、突出片４９の基端側に設けられている枠状係止部４７が、コネクタハウジング側面４３に設けられた係止突起４５から解除される方向に変位するので、コネクタカバー２１を容易に取り外すことができる。
【００３０】
また、本実施形態に係るレバー嵌合式コネクタ１１では、コネクタ嵌合後、平板部５５の突出先端がコネクタハウジング側面４３と突出片４９の傾斜面５１との間に配置されている状態において、平板部５５の突出先端には、傾斜面５１に沿う平板側傾斜面６３が対向する。これにより、レバー１９が離脱操作される際、レバー１９の平板部５５の突出先端がコネクタハウジング側面４３と突出片４９との間に入り込み易くなり、係止突起４５に対する枠状係止部４７の解除が確実となる。
【００３１】
従って、本実施形態に係るレバー嵌合式コネクタ１１によれば、コネクタ嵌合前は電線からの荷重によるカバー外れを防止でき、コネクタ嵌合後の離脱操作時はコネクタカバー２１を容易に取り外すことができる。
【００３２】
尚、本発明のレバー嵌合式コネクタに係るレバー、コネクタハウジング、相手コネクタハウジング、コネクタカバー、係止突起、枠状係止部、突出片、平板部及び起立壁等の構成は、上記実施形態の構成に限定されるものではなく、本発明の主旨に基づいて種々の形態を採りうることは云うまでもない。
【符号の説明】
【００３３】
１１…レバー嵌合式コネクタ
１３…コネクタハウジング
１９…レバー
２１…コネクタカバー
３３…相手コネクタハウジング
３７…係合部
３９…被係合部
４３…コネクタハウジング側面
４５…係止突起
４７…枠状係止部
４９…突出片
５１…傾斜面
５３…仮係止位置
５５…平板部
５７…起立壁
５９…コネクタ嵌合位置
６１…当接部
６３…平板側傾斜面
【図１】
2013045571.tif 000003
【図２】
2013045571.tif 000004
【図３】
2013045571.tif 000005
【図４】
2013045571.tif 000006
【図５】
2013045571.tif 000007
【図６】
2013045571.tif 000008
【図７】
2013045571.tif 000009
【図８】
2013045571.tif 000010